(57)【要約】      （修正有）【課題】従来の堀座卓では、天板が変形不能な１枚もので且つ凹所（堀炬燵）の開口部とほぼ同面積を有しているので、人が凹所内に出入りする際に天板が邪魔になって出入りしにくかったが、これを容易にする堀座卓の提供。【解決手段】堀座卓において、テーブル体の天板２として、凹所（堀炬燵）１の開口面積の略１／２の面積をもつセンター天板２０と、該センター天板２０の対向側縁に連続される２つのサイド天板３０，３０を有したものを使用するとともに、各サイド天板３０，３０を、センター天板２０の両側縁からそれぞれ外方に延出する使用位置と、センター天板２０にそれぞれ重合する格納位置との間で移動可能にしていることにより、人が凹所１内に出入りするときには、サイド天板３０をセンター天板２０側に格納することで、凹所１内への出入りが容易となるようにしている。【選択図】図２
0003128355.tif 000002
【実用新案登録請求の範囲】
【請求項１】
床下に形成された矩形箱状の凹所（１）と、該凹所（１）の上部にあって使用状態で前記凹所（１）の開口面積とほぼ同面積の天板（２）をもつテーブル体（Ａ，Ｂ）とを有してなる堀座卓であって、
前記天板（２）は、前記凹所（１）の開口面積の略１／２の面積をもつセンター天板（２０）と、該センター天板（２０）の対向側縁（２０ａ，２０ｂ）に連続される２つのサイド天板（３０，３０）を有しているとともに、
前記各サイド天板（３０，３０）は、前記センター天板（２０）の両側縁（２０ａ，２０ｂ）からそれぞれ外方に延出する使用位置と、前記センター天板（２０）にそれぞれ重合する格納位置との間で移動可能にしている、
ことを特徴とする堀座卓。
【考案の詳細な説明】
【技術分野】
【０００１】
本願考案は、床下に形成された矩形箱状の凹所とテーブル体とを有した堀座卓に関するものである。
【背景技術】
【０００２】
通常の座卓は、フラットな床面上に設置し、その回りに人が座って使用するものであるので、天板高さを比較的低く設定（例えば３３０〜３４０mm程度の高さ）している。従って、座卓の回りに座る場合は、正座をしたりあぐら座りをするが、いずれも足が窮屈になる。特に、足の不自由な人では、足を深く曲げるのが苦痛であり、座卓の回りに長時間座っていることが困難となる。そこで、近年では、足を深く曲げなくても座れる堀座卓が開発されている。
【０００３】
図８及び図９には、従来の一般的な堀座卓を示しているが、この従来の堀座卓は、床下に形成された矩形箱状の凹所１の上部に、天板５２を４本の脚５３，５３・・で支持した座卓Ｃを設置して構成されている。尚、凹所１は堀炬燵となるものである。
【０００４】
凹所１は、所定容積の箱体１１で形成されており、該箱体１１の床面高さ部分に矩形の開口部１２を有している。開口部１２の周縁部には框１３が設けられている。箱体１１の底部付近には簀の子１４が設けられている。簀の子１４の下方の空間部には電気ヒータ１５が設置されており、寒期には堀炬燵として使用される。
【０００５】
この凹所１の大きさは、各種の規格があるが、例えば開口部１２の大きさ（框１３の内径寸法）が６９０mm×１２７０mm程度で、深さ（簀の子１３までの有効深さ）が３４０mm程度のものがある。
【０００６】
座卓Ｃは、天板５２の下面４隅にそれぞれ脚５３，５３・・を取付けたものである。天板５２は、１枚もので大きさが不変のものである。又、この天板５２は、各脚５３，５３・・が框１３の上面４隅に固定される関係で、該框１３の外周とほぼ同大きさの面積（例えば７９０mm×１３７０mm程度）を有している。従って、天板５２の外周縁は、凹所１の開口部１２（框１３）の内周縁より若干幅ずつ（例えば５０mm程度ずつ）外側にはみ出している。
【０００７】
又、この座卓では、図９に鎖線図示するように人が凹所１内に足を差し入れて座った状態で天板５２の上面が丁度よい高さ（例えば天板上面が床面Ｆから３３０〜３４０mm程度の高さ）に位置している。従って、床面Ｆ（框１３の上面）から天板５２の下面までの高さＨは、２５０〜２６０mm程度となる。
【０００８】
尚、この種の堀座卓として、天板をその下面中央部において１本の支柱で支持したものもあるが、この場合も、天板の外形が凹所開口部の内周縁とほぼ同じかそれより若干幅ずつ大きくなり、且つ床面から天板下面までの高さが２５０〜２６０mm程度である。
【考案の開示】
【考案が解決しようとする課題】
【０００９】
ところが、図８及び図９に示す従来の堀座卓では、天板５２が凹所開口部１２の面積よりやや大きい面積を有し（天板の外周縁部が開口部の内周面より外側にはみ出している）、且つ天板５２の外周部下面と凹所開口部１２の周縁部上面（框１３の上面）との間の高さＨが比較的低い（２５０〜２６０mm程度）ので、人が凹所１内に出入りするときに天板５２の外周縁部が邪魔になり、不自由な姿勢で足を出し入れしなければならなかった。即ち、凹所１内に足を差し入れるには、凹所開口部１２の近くに一旦座り、天板５２の外端下面と開口部１２の縁部間の開口内に横方向から足を差し込んで降ろす、という動作が必要となる。
【００１０】
従って、従来の堀座卓では、凹所１内に足を出し入れするのが面倒であり、特に高齢者（足が弱っている人が多い）や身障者には使用しにくいものであった。
【００１１】
尚、堀座卓において、予め天板の幅を狭くしておくと、凹所（堀炬燵）内への出入りが容易になるが、天板の幅が狭いと座卓としての有効面積が不十分であるとともに、凹所内に入った姿勢で身体から天板の端縁までの距離が離れ過ぎて使い勝手が悪くなる。
【００１２】
そこで、本願考案は、天板の対向側縁部を所定幅ずつ出し入れし得るようにすることにより、凹所（堀炬燵）内に足を容易に出し入れできるようにするとともに、使用状態において十分な天板面積を確保し得るようにした堀座卓を提供することを目的としてなされたものである。
【課題を解決するための手段】
【００１３】
本願考案は、上記課題を解決するための手段として次の構成を有している。尚、本願考案は、堀座卓を対象にしている。
【００１４】
本願考案の堀座卓は、床下に形成された矩形箱状の凹所と、該凹所の上部にあって使用状態で凹所の開口面積とほぼ同面積の天板をもつテーブル体とを有して構成されている。尚、上記凹所は堀炬燵となるものである。又、本願では、天板と支柱（又は支持脚）とでテーブル体を構成しているが、このテーブル体は、天板の下面中央部を１本の支柱で支持したものや、天板の各短辺側の下面をそれぞれ支持脚で支持したもの等が使用できる。
【００１５】
そして、本願の堀座卓では、その天板として、凹所の開口幅の略１／２幅をもつセンター天板と、該センター天板の対向側縁に連続される２つのサイド天板を有したものを使用している。即ち、天板は、１つのセンター天板と２つのサイド天板とに３分割されたものを使用している。尚、各サイド天板は、センター天板の約１／２幅（凹所開口幅の約１／４幅）程度のものが使用されている。
【００１６】
又、各サイド天板は、センター天板の対向側縁からそれぞれ外方に延出する使用位置と、センター天板にそれぞれ重合する格納位置との間で移動可能にしている。
【００１７】
各サイド天板の移動方式としては、該各サイド天板をセンター天板に対してスライド式に出没させ得るようにしたものや、該各サイド天板を蝶番により折畳み式に弧回動させ得るようにしたもの等を採用できる。又、天板として片側に２人掛けし得る程度の長いものでは、各サイド天板を長さ方向に２分割して、それぞれ分割サイド天板ごとに使用位置と格納位置とに移動させ得るようにしてもよい。
【００１８】
本願では、凹所（堀炬燵）内における各サイド天板が位置する側縁部に、凹所深さの約１／２程度の高さの踏み台（乗り降りの用のもの）を設けることができる。
【００１９】
そして、本願の堀座卓では、サイド天板をセンター天板に対して格納位置に移動させる（スライド押込み又は折畳む）と、凹所開口部の側縁部の上方がかなり大きく（開口部の約１／４幅だけ）開放される。このように、サイド天板をセンター天板側に格納した状態では、天板の側縁部（サイド天板）が凹所の中心側に後退しているので、凹所内に足を差し入れる際あるいは凹所内から出る際に、足を延ばしたまま（例えば直立姿勢のまま）で行える。このとき、凹所内に上記踏み台を設けておけば、一層スムーズに出入りできる。又、各サイド天板をセンター天板に対して使用位置に移動させる（スライド引出し又は伸展させる）と、天板が凹所の開口部のほぼ全面を覆う面積まで大きくなり、通常のテーブルとして使用できる。
【考案の効果】
【００２０】
本願考案の堀座卓は、上記のように、天板を３分割して各サイド天板をセンター天板に対して格納位置（サイド天板がセンター天板に重なって天板面積が小さくなる）と使用位置（サイド天板がセンター天板の側縁から突出して天板面積が大きくなる）との間で移動させ得るようになっている。そして、凹所（堀炬燵）内に出入りする際には、出入りしようとする側のサイド天板を格納位置に移動させることにより、出入りする側の凹所の上方を大きく開放できる。
【００２１】
従って、本願の堀座卓では、凹所（堀炬燵）内に出入りする（足を抜き差しする）ときに、サイド天板を格納位置に位置させることで天板が邪魔にならなくなり、凹所内にスムーズに出入りすることができるという効果がある。特に、高齢者（足が弱っている人が多い）や身障者であっても、出入りが容易になる。又、このように、各サイド天板をセンター天板側に格納し得るようにしたものであっても、天板の使用時には、各サイド天板を使用位置に移動させることにより、天板を通常面積の広さで使用できる。
【実施例】
【００２２】
図１〜図７を参照して本願実施例を説明すると、図１〜図３には第１実施例の堀座卓が示され、図４〜図５には第２実施例の堀座卓が示され、図６〜図７には第３実施例の堀座卓が示されている。
【００２３】
図１〜図３の第１実施例
この第１実施例の堀座卓は、床下に形成された矩形箱状の凹所１と、天板２を支柱３で支持してなるテーブル体Ａとで構成されている。
【００２４】
凹所１は堀炬燵となるもので、この実施例では図８及び図９に示す従来例のものとほぼ同構造のものを採用している。即ち、この凹所１は、所定容積の箱体１１で形成されており、該箱体１１の床面高さ部分に矩形の開口部１２を有している。開口部１２の周縁部には框１３が設けられている。箱体１１の底部付近には簀の子１４が設けられている。簀の子１４の下方の空間部には電気ヒータ１５が設置されており、寒期には暖房用の堀炬燵として使用できる。
【００２５】
この凹所１は、この実施例では、開口部１２の大きさ（框１３の内径寸法）が６９０mm×１２７０mm程度で、深さ（簀の子１３までの有効深さ）が３４０mm程度のものを使用している。尚、この凹所１の大きさ（特に平面視の面積）は、上記実施例の限定されるものではなく、適宜設計変更可能である。
【００２６】
テーブル体Ａの天板２は、その下面中央部を１本の支柱３で支持している。そして、この天板２は、その上面が床面Ｆから３３０〜３４０mm程度の高さに位置するように設置している。支柱３は、この実施例では天板２の下面中央部において１本使用している。尚、この実施例では、支柱３が凹所１の中央部にある関係で、電気ヒータ１５は支柱３を挟んで一対設置するとよい。
【００２７】
第１実施例のテーブル体Ａに使用されている天板２は、凹所１の開口面積の略１／２の面積をもつセンター天板２０と、該センター天板２０の対向側縁２０ａ，２０ｂからスライド自在に出没し得る２つのサイド天板３０，３０とで構成されている。
【００２８】
センター天板２０の大きさは、凹所開口部１２の長幅方向の全長とほぼ同長さ（例えば１２７０mm程度）で、該凹所開口部１２の短幅方向の全長の約１／２幅（例えば３５０mm程度）に設定されている。又、このセンター天板２０は、図２及び図３に示すように、上板２１と下板２２との間に各サイド天板３０，３０をスライド自在に収納するための収納空間２３を形成したものが使用されている。
【００２９】
各サイド天板３０，３０は、それぞれセンター天板２０の約１／２幅（約１８０mm幅)で該センター天板２０のほぼ全長に亘る長さを有している。各サイド天板３０，３０の前縁部（外端部）には、それぞれ上向き突起状の持ち手３１が形成されている。尚、この持ち手３１部分は、サイド天板３０をセンター天板２０の内方側に押し込んだときにセンター天板２０の側縁２０ａ又は２０ｂ（上板２１の側縁）に衝合してそれ以上の押し込みを不能にするとともに、サイド天板３０の引き出し時の持ち手となる。
【００３０】
そして、この第１実施例のテーブル体Ａの天板２では、各サイド天板を、図１〜図３において符号３０で示す格納位置（センター天板２０の内方に押し込んだ位置）と、符号３０′で示す使用位置（センター天板２０の各側縁２０ａ，２０ｂから外方に引き出した位置）との間で移動させ得るようになっている。
【００３１】
各サイド天板３０，３０の外方引出し幅Ｗは、それぞれ１５０mm程度であり、両サイド天板３０，３０をそれぞれ外方に引き出した状態（符号３０′，３０′の状態）では、天板２が凹所１の開口部１２の面積とほぼ同面積となる。
【００３２】
センター天板２０と各サイド天板３０，３０との間には、各サイド天板３０，３０の抜け止め構造（ストッパー）が採用されている。即ち、この第１実施例では、図３に拡大図示するように、センター天板２０の上板２１の幅方向両端部の下面にそれぞれ下向き突起２４，２４を形成している一方、各サイド天板３０，３０のそれぞれ奥端部の上面に上向き突起３２，３２を取付けている。尚、この上向き突起３２は、強化ゴム等のクッション性のあるものが好ましい。
【００３３】
そして、この抜け止め構造では、各サイド天板３０，３０を符号３０′，３０′で示すように外方に引き出したときに、サイド天板３０′側の上向き突起３２がセンター天板２０の上板２１の下向き突起２４に衝合して、サイド天板３０′の抜け出しを防止するようになっている。上板２１側の各下向き突起２４，２４と各サイド天板３０，３０側の上向き突起３２，３２の各衝合面は、それぞれ傾斜面としており、サイド天板３０の引き出し時に各突起２４，３２が緩やかに衝合するようになっている。
【００３４】
凹所１内には、各サイド天板３０，３０が位置する各側縁部の長さ方向中間部に、凹所深さの約１／２程度の高さの踏み台４，４を設けている。この各踏み台４，４は、平面視の大きさが２００mm×２００mm程度の大きさのものである。又、この各踏み台４，４は、簀の子１４上に固定したものでもよいし、移動（取外し）可能としたものでもよい。
【００３５】
この第１実施例の堀座卓は、次のように使用される。まず、凹所１内に入るときには、その入る側のサイド天板３０をセンター天板２０に重合する格納位置に押し込んでおく。このようにサイド天板３０の格納状態では、凹所開口部１２における人が入ろうとする側の側縁部の上方がかなり大きく（開口部１２の約１／４幅だけ）開放されており、凹所１内に足を差し入れる際に、足を延ばしたまま（例えば図２の左側の人物のように直立姿勢のまま）で行える。又、このとき凹所１内に踏み台４があると、一旦踏み台４上に片足を載せた後に他方の足を簀の子１４上に着地させることができ、一層スムーズに入ることができる。そして、図２の右側の人物のように開口部１２の縁部に腰掛けた後、サイド天板３０を符号３０′で示すように外方に引き出すと、天板２の全体が凹所開口部１２のほぼ全面を覆う面積まで大きくなり、通常のテーブルとして使用できる。
【００３６】
又、凹所１内に入っている状態（図２の右側の人物の状態）から出る場合には、使用位置に引き出しているサイド天板３０′を内方（格納位置）に押し込む。すると、足の上方部分が開放されるので、該天板２が邪魔にならずに容易に凹所１から足を抜き出すことができる。
【００３７】
このように、この第１実施例の堀座卓では、各サイド天板３０，３０をセンター天板２０に対してスライド式に出没させ得るようになっているので、凹所１内にスムーズに出入りすることができる。特に、高齢者（足が弱っている人が多い）や身障者であっても、出入りが容易になる。又、天板２の使用時には、各サイド天板３０，３０を使用位置に引き出すことにより、天板２を通常面積の広さで使用できる。
【００３８】
尚、この実施例では、各サイド天板３０，３０はそれぞれ長尺１枚ものが使用されているが、天板２として片側に２人掛けし得る程度の長いものでは、各サイド天板３０を長さ方向に２分割して、それぞれ分割サイド天板ごとに使用位置と格納位置とに移動させ得るようにしてもよい。
【００３９】
図４〜図５の第２実施例
この第２実施例は、上記第１実施例の堀座卓におけるテーブル体の天板支持構造の変形例を示したものである。
【００４０】
この第２実施例の堀座卓では、天板２として、２つのサイド天板３０，３０をセンター天板２０に対してスライド式に出し入れし得るようにしているところは上記第１実施例と同じであるが、この第２実施例のセンター天板２０は図５に示すように上板のみ（第１実施例における下板２２を省略している）で構成されている。
【００４１】
又、天板２を支持する構造としては、上記第１実施例の支柱３に代えて、天板２の各短辺側下面にそれぞれ門型の支持台５，５を設けている。この各支持台５，５は、凹所１の短辺側の各角部からそれぞれ脚６，６を立設する一方、該各脚６，６の上端部を横架材７で連結したものである。そして、センター天板２０は、その各短辺側の外端下面をそれぞれ各支持台５，５の横架材７，７上に固定して支持させている。
【００４２】
センター天板２０の各短辺寄り下面と各横架材７，７の上面との間には、各サイド天板３０，３０の短辺側各端部をガイドする収納空間（第１実施例の収納空間２３に相当する）が設けられており、該各収納空間で各サイド天板３０，３０のそれぞれ短辺側各端部が出没自在にガイドされている。
【００４３】
そして、この第２実施例のものでは、各サイド天板３０，３０の各短辺側端部の下面がそれぞれ横架材７，７上に載った状態で、該各サイド天板３０，３０がセンター天板２０に対して内外方向にスライドし得るようになっている。即ち、各サイド天板３０，３０は、符号３０で示すようにセンター天板２０側に押し込めば格納状態となり、鎖線図示（符号３０′）するように手前側に引き出せば使用状態となる。尚、各サイド天板３０，３０の出没による各機能は、上記第１実施例の場合と同じである。
【００４４】
又、この第２実施例では、天板中央部の支柱を無くしているので、凹所１内に脚を入れたときに邪魔になるものがない。
【００４５】
尚、第２実施例におけるその他の構成は、上記第１実施例のものと同じであるので、その説明を省略する。
【００４６】
図６〜図７の第３実施例
この第３実施例は、上記第２実施例の堀座卓におけるテーブル体の天板構造の変形例を示したものである。尚、この第３実施例の堀座卓において、凹所１の構成及び踏み台４については、上記第１及び第２実施例と同様であるので上記の説明を援用する。
【００４７】
この第３実施例のテーブル体Ｂでは、その天板２として、凹所１の開口面積の略１／２の面積をもつセンター天板２０と、該センター天板２０の対向側縁２０ａ，２０ｂにそれぞれ折畳み自在に連続された２つのサイド天板３０，３０とを有したものが採用されている。
【００４８】
又、この第３実施例のテーブル体Ｂでは、そのセンター天板２０の各短辺側端部の下面を、上記第２実施例で使用した２つの支持台５，５で支持している。従って、この第３実施例のものにも、凹所１内に第１実施例の支柱３はない。
【００４９】
各サイド天板３０，３０は、センター天板２０の１／２幅で、該センター天板２０と同長さを有している。そして、この各サイド天板３０，３０は、センター天板２０の対向する各側縁２０ａ，２０ｂにそれぞれ複数個（図示例では３個ずつ）の蝶番４０で枢支されていて、弧回動式に折畳み得るようになっている。即ち、各サイド天板３０，３０は、図６及び図７に実線図示するようにセンター天板２０の上面側に折畳んだ格納位置と、鎖線図示（符号３０′）するようにセンター天板２０の各側縁２０ａ，２０ｂからそれぞれ外方に展張させた使用位置との間で弧回動せしめ得るようになっている。尚、蝶番４０は、センター天板２０の側面及びサイド天板３０の側面に、それぞれ蝶番厚さだけ埋め込んで取付け、サイド天板３０を外方に展張させたときに、センター天板２０とサイド天板３０との間に隙間ができないようにしている。
【００５０】
又、この第３実施例の天板２では、折畳み式のサイド天板３０，３０を使用位置（鎖線図示する符号３０′の位置）に展張させたときに該サイド天板３０′の短辺側両端部がそれぞれ支持台５，５の横架材７，７上に載るので、該サイド天板３０′に上方から大きな荷重が加わっても安全である。
【００５１】
又、この種の折畳み式のサイド天板３０を使用したものでは、使用位置（符号３０′で示す展張状態）にあるときに該サイド天板３０′の下面側から押圧力が働くと、該サイド天板３０′が不用意に上方に持ち上がることがあるが、その対策として、展張状態にあるサイド天板３０′が浮き上がらないようにするための適宜のロック機構を設けることができる。尚、サイド天板３０のロック機構が頑丈なものであれば、上記支持台５，５を省略することも可能である。
【００５２】
この第３実施例の堀座卓でも、センター天板２０に対して各サイド天板３０，３０がそれぞれ使用位置と格納位置との間で移動（弧回動）し得るようになっているので、上記第１及び第２実施例の場合と同様に、凹所１内への出入りが容易になる、という機能がある。又、使用時には各サイド天板３０，３０を外方に展張させることで、通常面積の天板２として使用できる。
【図面の簡単な説明】
【００５３】
【図１】本願第１実施例の堀座卓の斜視図である。
【図２】図１のII−II断面図である。
【図３】図２の一部拡大図で、各サイド天板を引き出した状態図である。
【図４】本願第２実施例の堀座卓の斜視図である。
【図５】図４のＶ−Ｖ断面図である。
【図６】本願第３実施例の堀座卓の斜視図である。
【図７】図６のVII−VII断面図である。
【図８】従来の堀座卓の斜視図である。
【図９】図８のIX−IX断面図である。
【符号の説明】
【００５４】
１は凹所（堀炬燵），２は天板、３は支柱、４は踏み台、１１は箱体、１２は開口部、２０はセンター天板、２０ａ，２０ｂはセンター天板の側縁、３０はサイド天板、Ａ，Ｂはテーブル体である。
【図１】
0003128355.tif 000003
【図２】
0003128355.tif 000004
【図３】
0003128355.tif 000005
【図４】
0003128355.tif 000006
【図５】
0003128355.tif 000007
【図６】
0003128355.tif 000008
【図７】
0003128355.tif 000009
【図８】
0003128355.tif 000010
【図９】
0003128355.tif 000011